(57)【要約】【目的】本発明は、部材の表面に付着する異物を、部材を傷つけることなく、簡単、かつ従来に比較してより確実性をもって除去できる装置を提供することを目的とする。【構成】本発明にかかるクリーニングユニット（８）は、排出口と流入口を両端に有し、排出口より排出され異物の剥離を促す空気流を生成するファン（２１）と、流入口より空気流と共に流入される異物を捕捉するフィルタ（２３）を、クリーニングユニット（８）内に形成された空気流路内に具備する。クリーニングユニット（８）は、レンズ（２）を装着する位置に、レンズマウント（３）を介して装着され、カメラ本体（１）内の電気回路（１１）との通信によって、カメラ本体（１）内部のクリーニングを実行する。【選択図】    図４
2004354446.tif 000002
【特許請求の範囲】
【請求項１】
部材を含む機器に着脱可能に装着され、
空気流を流入する流入口と前記空気流を排出する排出口とを両端部に有する空気流路と、
該空気流路内に配設され、前記部材に付着した異物を剥離させるための空気流を生成し、該空気流を前記排出口から排出させ前記機器内に流入させるファンと、
前記空気流路内に配設され、前記部材から剥離されて前記流入口から流入される異物を捕捉するフィルタとを具備する
ことを特徴とするクリーニングユニット。
【請求項２】
クリーニングに関する所定の動作を前記機器に行わせる為の信号を発生する制御回路を有する
ことを特徴とする請求項１に記載のクリーニングユニット。
【請求項３】
前記ファンと前記制御回路とを駆動する為の電源を前記機器から入力する入力部を有する
ことを特徴とする請求項２に記載のクリーニングユニット。
【請求項４】
前記フィルタの清浄度を検出する清浄度検出装置を有する
ことを特徴とする請求項１に記載のクリーニングユニット。
【請求項５】
前記フィルタは、取り外し可能に配設される
ことを特徴とする請求項１に記載のクリーニングユニット。
【請求項６】
前記フィルタは、前記流入口に近接して配設される
ことを特徴とする請求項１に記載のクリーニングユニット。
【請求項７】
前記機器はレンズの装着可能な光学機器であり、
該光学機器に、前記レンズと選択的に装着される
ことを特徴とする請求項１に記載のクリーニングユニット。
【請求項８】
撮影レンズと、カメラ内部の異物を除去するクリーニングユニッ
トとを選択的に装着可能なカメラであって、
前記クリーニングユニットの装着、もしくは取り外しを検出する検出回路と、
該検出回路によって、前記クリーニングユニットの装着が検出されているときに、該クリーニングユニット、もしくはカメラの動作を制御する制御回路とを有する
ことを特徴とするカメラ。
【請求項９】
「前記撮影レンズを介して入射される光学像の撮像素子での受光を許可するシャッタと、該シャッタを駆動する第１の駆動回路」もしくは、
「前記光学像の前記撮像素子での受光を許可する退避位置と      前記光学像を前記撮像素子とは異なる方向に反射する非退避位置との間を移動可能なミラーと、該ミラーを駆動する第２の駆動回路」の少なくとも何れか一方を有し、
前記制御回路は、前記検出回路によって、前記クリーニングユニットの装着が検出されているときに、前記第１の駆動回路と前記第２の駆動回路の少なくとも何れか一方を制御する
ことを特徴とする請求項８に記載のカメラ。
【請求項１０】
前記制御回路は、前記クリーニングユニットの装着が検出されると、前記第１の駆動回路によって前記シャッタを開状態となるように制御する
ことを特徴とする請求項９に記載のカメラ。
【請求項１１】
前記制御回路は、前記クリーニングユニットの取り外しが検出されると、前記第１の駆動回路によって前記シャッタを閉状態となるように制御する
ことを特徴とする請求項９に記載のカメラ。
【請求項１２】
前記制御回路は、前記クリーニングユニットの装着が検出されると、前記第２の駆動回路によって前記ミラーを前記退避位置となるように制御する
ことを特徴とする請求項９に記載のカメラ。
【請求項１３】
前記制御回路は、前記クリーニングユニットの取り外しが検出されると、前記第２の駆動回路によって前記ミラーを前記非退避位置とするように制御する
ことを特徴とする請求項９に記載のカメラ。
【請求項１４】
前記撮影レンズを介して入射される光学像を光電変換し画像信号を出力する撮像素子と、
所定の処理が施された前記画像信号を記録媒体に記録する記録回路とをさらに有し、
前記制御回路は、
装着された前記クリーニングユニットによるクリーニング動作中は、前記記録回路による前記画像信号の前記記録媒体への記録動作を禁止するように制御する
ことを特徴とする請求項８に記載のカメラ。
【請求項１５】
前記制御回路は、
前記クリーニングユニットの装着が検出されているときに、前記カメラに設けられた、撮影に関する指示を行う操作部材の操作に基づいて、前記クリーニングユニットによるクリーニング動作が開始されるように制御する
ことを特徴とする請求項８に記載のカメラ。
【請求項１６】
光学機器内部の異物を除去するクリーニングユニットが装着可能な光学機器であって、
前記クリーニングユニットの装着を検出する検出回路と、
該検出回路によって、前記クリーニングユニットの装着が検出されているときに、所定の動作を禁止する制御回路とを有する
ことを特徴とする光学機器。
【発明の詳細な説明】
【０００１】
【発明の属する技術分野】
本発明は、装置中の部材の表面に付着したゴミや汚れ等の異物を除去する技術に関する。
【０００２】
【従来の技術】
撮影レンズの交換が可能なディジタルスチルカメラ（以下、レンズ交換式ＤＳＣと記す）が知られている。レンズ交換式ＤＳＣでは、撮影レンズとカメラ本体とが分離する為に、撮影レンズをカメラ本体から取り外した際に、ゴミなどの異物がミラーボックス内に侵入しやすい。
【０００３】
ミラーボックス内では、さらにミラーや撮影レンズの絞りを制御する可動機構が作動する為、ゴミが発生することがある。
これらの異物が撮影レンズの焦点面近傍、例えばＣＣＤなどの光電変換素子の受光面近傍に付着すると、光電変換によって得られた画像に異物の写り込みが発生する。
【０００４】
このような不具合をなくす為、例えば下記特許文献１で示される撮像装置は、撮像レンズを介して入射される被写体像を反射して接眼レンズへと導く非退避位置と、撮像レンズを介して入射される被写体像を反射させることなく撮像素子へと導く為の退避位置との間を移動可能なミラーと、該ミラーの退避状態において、
被写体像の入射される光軸上にシャッタと撮像素子とを有するもので、特に撮像素子のクリーニングを行う為のクリーニングモードを備えている。
【０００５】
該クリーニングモードでは、ミラーが退避状態、シャッタが開口状態とされる。
操作者は、クリーニングを行うにあたって、撮像レンズをカメラ本体から取り外して、ミラーを退避状態、シャッタを開口状態としてクリーニングモードに移行した上で、ブロアによって空気を吹き付けて、撮像素子の撮像面上の異物を除去した後、ミラーを非退避状態、シャッタを非開口状態とする。このように、従来の撮像素子のクリーニングは、手間のかかる作業を必要としていた。
【０００６】
また、クリーニング時に、ブロアによって空気を吹き付けた際に、部材から剥離された異物が、部材に再付着してしまう、という可能性があった。
そこで、例えば、下記特許文献２には、３本の撮像管が取り付けられるハウジングに、空気を流入する流入口と、空気を排出する排出口とを設け、ハウジング外部で発生させた空気流を流入口からハウジング内部に流入し、排出口からハウジング外部に排出させることで、ハウジング内の部材に付着した異物の除去を図る技術が開示されている。
【０００７】
【特許文献１】
特開２０００−１２５１５２号公報
【０００８】
【特許文献２】
登録実用新案第２５５８０３５号公報
【０００９】
【発明が解決しようとする課題】
しかしながら、特許文献２に開示されるような従来の異物除去方法においては、クリーニングを行うために、空気の流入口と排出口、及びこれらの開口をふさぐ蓋を設けなければならない、という問題点があった。
【００１０】
本発明は、従来のような空気の流入口、排出口を設けることが不要で、部材の表面に付着する異物を、部材表面を傷つけることなく、簡単、かつ従来に比較してより確実性をもって除去できる装置を提供することを目的とする。
【００１１】
【課題を解決するための手段】
上記問題点を解決するために、請求項１に係る発明のクリーニングユニットは、部材を含む機器に着脱可能に装着され、空気流を流入する流入口と前記空気流を排出する排出口とを両端部に有する空気流路と、該空気流路内に配設され、前記部材に付着した異物を剥離させるための空気流を生成し、該空気流を前記排出口から排出させ前記機器内に流入させるファンと、前記空気流路内に配設され、前記部材から剥離されて前記流入口から流入される異物を捕捉するフィルタとを具備することを特徴とする。
【００１２】
請求項２に係る発明のクリーニングユニットは、請求項１に記載のクリーニングユニットにおいて、クリーニングに関する所定の動作を前記機器に行わせる為の信号を発生する制御回路を有することを特徴とする。
【００１３】
請求項３に係る発明のクリーニングユニットは、請求項２に記載のクリーニングユニットにおいて、前記ファンと前記制御回路とを駆動する為の電源を前記機器から入力する入力部を有することを特徴とする。
【００１４】
請求項４に係る発明のクリーニングユニットは、請求項１に記載のクリーニングユニットにおいて、前記フィルタの清浄度を検出する清浄度検出装置を有することを特徴とする。
【００１５】
請求項５に係る発明のクリーニングユニットは、請求項１に記載のクリーニングユニットにおいて、前記フィルタが、取り外し可能に配設されることを特徴とする。
【００１６】
請求項６に係る発明のクリーニングユニットは、請求項１に記載のクリーニングユニットにおいて、前記フィルタが、前記流入口に近接して配設されることを特徴とする。
【００１７】
請求項７に係る発明のクリーニングユニットは、請求項１に記載のクリーニングユニットにおいて、前記機器がレンズの装着可能な光学機器であり、該光学機器に、前記レンズと選択的に装着されることを特徴とする。
【００１８】
請求項８に係る発明のカメラは、撮影レンズと、カメラ内部の異物を除去するクリーニングユニットとを選択的に装着可能なカメラであって、前記クリーニングユニットの装着、もしくは取り外しを検出する検出回路と、該検出回路によって、前記クリーニングユニットの装着が検出されているときに、該クリーニングユニット、もしくはカメラの動作を制御する制御回路とを有することを特徴とする。
【００１９】
請求項９に係る発明のカメラは、請求項８に記載のカメラにおいて、「前記撮影レンズを介して入射される光学像の撮像素子での受光を許可するシャッタと、該シャッタを駆動する第１の駆動回路」もしくは、「前記光学像の前記撮像素子での受光を許可する退避位置と前記光学像を前記撮像素子とは異なる方向に反射する非退避位置との間を移動可能なミラーと、該ミラーを駆動する第２の駆動回路」の少なくとも何れか一方を有し、前記制御回路は、前記検出回路によって、前記クリーニングユニットの装着が検出されているときに、前記第１の駆動回路と前記第２の駆動回路の少なくとも何れか一方を制御することを特徴とする。
【００２０】
請求項１０に係る発明のカメラは、請求項９に記載のカメラにおいて、前記制御回路は、前記クリーニングユニットの装着が検出されると、前記第１の駆動回路によって前記シャッタを開状態となるように制御することを特徴とする。
【００２１】
請求項１１に係る発明のカメラは、請求項９に記載のカメラにおいて、前記制御回路は、前記クリーニングユニットの取り外しが検出されると、前記第１の駆動回路によって前記シャッタを閉状態となるように制御することを特徴とする。
【００２２】
請求項１２に係る発明のカメラは、請求項９に記載のカメラにおいて、前記制御回路は、前記クリーニングユニットの装着が検出されると、前記第２の駆動回路によって前記ミラーを前記退避位置となるように制御することを特徴とする。
【００２３】
請求項１３に係る発明のカメラは、請求項９に記載のカメラにおいて、前記制御回路は、前記クリーニングユニットの取り外しが検出されると、前記第２の駆動回路によって前記ミラーを前記非退避位置とするように制御することを特徴とする。
【００２４】
請求項１４に係る発明のカメラは、請求項８に記載のカメラにおいて、前記撮影レンズを介して入射される光学像を光電変換し画像信号を出力する撮像素子
と、所定の処理が施された前記画像信号を記録媒体に記録する記録回路とをさらに有し、前記制御回路は、装着された前記クリーニングユニットによるクリーニング動作中は、前記記録回路による前記画像信号の前記記録媒体への記録動作を禁止するように制御することを特徴とする。
【００２５】
請求項１５に係る発明のカメラは、請求項８に記載のカメラにおいて、前記制御回路は、前記クリーニングユニットの装着が検出されているとき、前記カメラに設けられた、撮影に関する指示を行う操作部材の操作に基づいて、前記クリーニングユニットによるクリーニング動作が開始されるように制御することを特徴とする。
【００２６】
請求項１６に係る発明の光学機器は、光学機器内部の異物を除去するクリーニングユニットが装着可能な光学機器であって、前記クリーニングユニットの装着を検出する検出回路と、該検出回路によって、前記クリーニングユニットの装着が検出されているときに、所定の動作を禁止する制御回路を有することを特徴とする。
【００２７】
【発明の実施の形態】
以下、本発明の実施の形態について、図１に示されるレンズ交換式ＤＳＣを例にとって説明する。
【００２８】
図１は、レンズ交換式ＤＳＣの側面図である。
図１において、撮影の為に用いられるレンズ２は、レンズマウント３を介して、カメラ本体１に着脱可能に装着される。
【００２９】
カメラ本体１は、レンズマウント３を介して装着されたユニット（レンズ２、または後述するクリーニングユニット８）との間の通信を行う通信接点１０を有する。
【００３０】
通信接点１０は、カメラ本体１内のプロセッサ（ＣＰＵ）を含む電気回路１１に接続され、レンズ２がカメラ本体１に装着されると、レンズ２側の通信接点２４と結合される。
【００３１】
レンズ２を介して得られた不図示の被写体の像は、クイックリターンミラー４、ペンタプリズム５で反射され、接眼レンズ６を介して、撮影者によって観察可能な構成とされている。
【００３２】
撮影者によって、操作部材２２が操作されると、クイックリターンミラー４が図１中に矢印で示す方向に退避すると共に、シャッタ７が設定された時間だけ開き、ＣＣＤ９の撮像面に被写体像が結像される。
【００３３】
ＣＣＤ９の撮像面上に結像された被写体像は、ＣＣＤ９によって光電変換されて電気信号に変換された後に所定の信号処理が施され、例えばカメラ本体１に着脱可能に装着される記憶媒体４９（図５参照）にディジタル信号として記憶される。
【００３４】
一方、ＣＣＤ９の撮像面上の異物を除去する際には、レンズ２に換えて、図２及び図３に示されるクリーニングユニット８を、レンズマウント３を介してカメラ本体１に装着し、クリーニングモードに移行する。クリーニングモードでは、クイックリターンミラー４が、図１中の矢印で示す方向に退避し、シャッタ７が開口状態を保持する。
【００３５】
図２、図３は、各々、例えばＣＣＤ９の撮像面上の異物を除去する際に、レンズマウント３を介してレンズ交換式ＤＳＣのカメラ本体１に装着されるクリーニングユニット８の側面図、及びカメラ本体１との接合面の方向から見たクリーニングユニット８の正面図である。
【００３６】
クリーニングユニット８は、図２中のＡ方向でレンズマウント３を介してカメラ本体１と結合される。
クリーニングユニット８は、空気流路Ｘの両端に形成された開口Ｂ，開口Ｃ，空気流路Ｘの内部に設けられたファン２１，ファン２１を回転させるモータＭ１，開口Ｃより空気流路Ｘ内に流入する空気流から異物を除去する為に設けられたフィルタ２３，レンズマウント３を介して装着されたカメラ本体１との通信を行う際に用いられる通信接点２４，クリーニングユニット８内の各種制御を行う電気回路２５，クリーニング動作の開始を指示するクリーニング開始スイッチ２６を有する。モータＭ１としては、例えばＤＣブラシレスモータが用いられる。
【００３７】
クリーニングユニット８の通信接点２４は、カメラ本体１との装着状態において、カメラ本体１に具備される通信接点１０と結合される。
即ち、本実施形態においては、レンズマウント３を介して装着されたクリーニングユニット８は、レンズ２が装着された時と同一の制御回路（カメラ本体１内のプロセッサ）によって通信制御される。このような構成とすることで、新たに装着されるクリーニングユニット８に対して、個別の制御回路を設けることが不要となる。
【００３８】
開口Ｂは、ファン２１の回転によって生成される空気流を、カメラ本体１側に導く流路の排気開口、開口Ｃは、カメラ本体１から排出される空気をフィルタ２３を介してファン２１に導く流路の流入開口である。
【００３９】
フィルタ２３は、カメラ本体１から排気され、開口Ｃからクリーニングユニット８内に流入される空気流から異物を取り除く為に、例えば開口Ｃの近傍に取り外し可能に設けられている。
【００４０】
フィルタ２３、ファン２１が内蔵されるクリーニングユニット８内の空気流路Ｘは、その両端に形成された開口Ｂ、開口Ｃ、及びモータＭ１のシャフト部を除いて隙間無く構成されている。
【００４１】
また、図３に示されるとおり、クリーニングユニット８はカメラ本体１との接合面においても、開口Ｂ，開口Ｃ、通信接点２４部以外は隙間無く構成されている。
【００４２】
ここで、クリーニングユニット８は、その外周部についても開口Ｂ、開口Ｃ部を除いて隙間なく構成されている。このため、空気流路Ｘ内にモータＭ１のシャフト部による開口があっても、この開口から定常的に空気が流れることはなく、クリーニング動作への影響はない。しかし、空気流路Ｘ内のモータＭ１のシャフトによる開口は、可能な限り小さいことが望ましい。
【００４３】
クリーニングユニット８内のモ−タＭ１、及び電気回路２５の駆動電源は、通信接点２４を介して、カメラ本体１から供給される。
ファン２１は、クリーニングモードにおいて、モータＭ１の駆動によって回転を開始し、開口Ｂを介してカメラ本体１に送りこむ空気流を生成する。
【００４４】
図４は、クリーニングユニット８をカメラ本体１に装着して、例えばＣＣＤ９の撮像面上の異物を除去するクリーニングモードを説明する説明図である。
操作者によって、クリーニング開始スイッチ２６が操作されると、電気回路１１内部のプロセッサの指示により、図４に示されるようにクイックリターンミラー４が退避状態、シャッタ７が開口状態を保持するクリーニングモードとされ、ＣＣＤ９の撮像面が露出される。
【００４５】
その後、モータＭ１の駆動によってファン２１が回転を始め、図４中の矢印Ｄで示される空気流がＣＣＤ９の撮像面に向かって流れ、ＣＣＤ９の撮像面上の異物を除去する。
【００４６】
空気流Ｄによって、ＣＣＤ９の撮像面上から除去された異物は、図４に矢印で示される空気流Ｅによって、開口Ｃよりクリーニングユニット８に排出される。このようにして、空気流Ｅによってクリーニングユニット８内に流入された異物は、例えば開口Ｃに近接して配設されたフィルタ２３によって捕捉される。クリーニングユニット８に流入された空気流Ｅは、異物のみをフィルタ２３で捕捉され、清浄な空気流となって、ファン１０２により、再度空気流Ｄとして、カメラ本体１に流入される。
【００４７】
上記のように、本実施形態においては、クリーニングユニット８とカメラ本体１との装着状態において、開口Ｂを、開口Ｃの上部になるように配置したので、空気流Ｄによって、ＣＣＤ９の撮像面上に付着した異物に加えて、クイックリターンミラ−４の裏面に付着した異物をも除去することができる。
【００４８】
このような構成とすることで、クイックリターンミラー４の裏面に付着していた異物がクイックリタ−ンミラー４の非退避状態への移行であるリターン動作時に剥離され、ＣＣＤ９の撮像面に再付着する、といった不具合を防止することができる。
【００４９】
なお、ファン２１の位置は、図４に示される空気流Ｄを発生させる位置であれば、クリーニングユニット８内の空気流路内の任意の位置とすることが可能である。
【００５０】
また、フィルタ２３の位置は、開口Ｃより流入される異物を捕捉できる位置であれば、クリーニングユニット８内の空気流路内の任意の位置とすることができる。
【００５１】
異物の付着したフィルタ２３は、定期的に清掃を行うことが望ましい。
フィルタ２３を、例えば開口Ｃに近接して配置する構成とすれば、フィルタ２３のゴミの堆積面が、開口Ｃに近接しているので、清掃が容易となり好都合である。この場合には、フィルタ２３が装着された状態で、フィルタ２３に堆積した異物の除去（清掃）が可能となるので、フィルタ２３は必ずしも取り外し可能に配設される必要はない。
【００５２】
さらには、フィルタ２３を、開口Ｂ、または開口Ｃに近接して配置する構成とすれば、フィルタ２３の交換が必要な場合にも、容易に交換作業を行うことが可能となる。
【００５３】
以下、上記のクリーニングモード時の動作について説明する。
図５は、カメラ本体１に内蔵される電気回路１１とクリーニングユニット８に内蔵される電気回路２５との装着状態におけるブロック図である。
【００５４】
電気回路１１、電気回路２５は、通信接点１０、２４を介して電気的に接続される。ここで、本実施形態においては、図５に示されるとおり、通信接点１０の接点端子１０ａ，１０ｂ，１０ｃ，１０ｄ，１０ｅ，１０ｆは、各々、通信接点２４の２４ａ，２４ｂ，２４ｃ，２４ｄ，２４ｅ，２４ｆと接続される。
【００５５】
電気回路１１，電気回路２５は、カメラ本体１に内蔵される電源３０によって駆動される。電源３０としては、例えば電池が用いられる。
電源３０の＋端子は、電気回路１１内のプロセッサであるＣＰＵ３１、ＣＰＵ３１の実行するプログラムが記憶されるＲＯＭ３２，ＣＰＵ３１のワーキングメモリであるＲＡＭ３３、後述する時間計測を行う為の時間計測装置３５の各電源端子に接続されると共に、抵抗Ｒ２の一方の端子、電源接続スイッチ３４の一方の端子Ｘに接続される。
【００５６】
一方、電源３０の−端子は、グランド電位とされ、電気回路１１の上記各電気構成要素のグランド端子に接続されると共に、接点端子１０ｆ、２４ｆを介して、後述する電気回路２５の各電気構成要素のグランド端子に接続される。
【００５７】
電源接続スイッチ３４の他方の端子Ｙは、通信接点１０の接点端子１０ａに接続される。電源接続スイッチ３４の開閉は、ＣＰＵ３１によって制御される。
電源３０の＋端子は、さらに通信接点１０の端子１０ｂに接続される。
【００５８】
接点端子１０ｂを介して、接点端子２４ｂより電気回路２５に入力された電源３０の＋電圧は、電気回路２５の、プロセッサであるＣＰＵ４１、ＣＰＵ４１の実行するプログラム等が記憶されるＲＯＭ４２，ＣＰＵ４１のワーキングメモリであるＲＡＭ４３の各電源端子に入力されると共に、接点端子２４ｄ、１０ｄを介して、ＣＰＵ３１に入力される。
【００５９】
接点端子１０ｄを介してＣＰＵ３１に入力される信号線は、抵抗Ｒ３を介してグランド電位に接続される。
電気回路２５の上記の各電気構成要素のグランド端子、クリーニング開始スイッチ２６の一方の端子、及び後述するコンデンサＣ１の一方の端子は、接点端子２４ｆを介して電気回路２５に入力されるグランド電位に電気的に接続される。
【００６０】
このように、通信接点１０の接点端子１０ｆ，通信接点２４の接点端子２４ｆは、電気回路１１、電気回路２５におけるグランドパターンに接続されており、通信接点１０と通信接点２４との接続によって、電気回路１１と、電気回路２４のグランド電位が同一とされる。
【００６１】
また、接点端子１０ａを介して、接点端子２４ａより電気回路２５に入力された電源３０の＋電圧は、抵抗Ｒ１、ダイオードＤ１、電源接続スイッチ４４の一方の端子に入力される。
【００６２】
クリーニング開始スイッチ２６の非グランド接続端子は、抵抗Ｒ１、ダイオードＤ１の非電源接続端子、コンデンサＣ１の非グランド接続端子に接続されると同時に、接点端子２４ｃ，接点端子１０ｃを介してＣＰＵ３１に接続される。
【００６３】
接点端子１０ｃを介して、ＣＰＵ３１に入力される信号線は、抵抗Ｒ２を介して、電源３０の＋端子に電気的に接続される。
ＣＰＵ３１は、クリーニング開始スイッチ２６の操作に基づいて、マグネットＭ２、マグネットＭ３を介して、クイックリターンミラー４、シャッタ７の動作を制御する。
【００６４】
ＣＰＵ３１は、さらにＣＣＤ駆動回路４５を介して、ＣＣＤ９による撮像動作を制御する。ＣＣＤ９の光電変換によって出力された画像信号は、γ処理、ホワイトバランス処理等の所定の処理が施された後、記録媒体４９に記録される。記録制御回路４８は、ＣＰＵ３１の制御のもとで、記録媒体４９への画像信号の書き込みを制御する。
【００６５】
一方、ＣＰＵ４１は、接点端子１０ｅ、２４ｅを介して入力されるＣＰＵ３１の出力信号に基づいて、電源接続スイッチ４４の開閉、即ち、モータＭ１への電源供給を制御する。
【００６６】
さらに、接点端子１０ｅ，２４ｅを介して、上記信号出力に加えて、後述するＣＰＵ３１、ＣＰＵ４１間の各種通信が実行される。
以下、図６、図７、および図８に各々示されるフローチャートを用いて、本実施形態の動作の詳細について説明する。
【００６７】
なお、ここでは、図６のフローチャートにおけるステップＳ６０１、及び図８のフローチャートにおけるステップＳ７０１の「スタート」は、ＣＣＤ９の撮像面上の異物を除去する為に、レンズ２が、カメラ本体１のレンズマウント３から取り外された状態とする。
【００６８】
まず、カメラ本体１内に設けられるＣＰＵ３１の動作について、図６に示されるフローチャートを用いて説明する。
ステップＳ６０２において、ＣＰＵ３１は、クリーニングユニット８が、カメラ本体１に装着されたか否かについて、クリーニングユニット８との通信に基づいて判断する。
【００６９】
ＣＰＵ３１は、例えば、接点端子１０ｄより入力される電圧を検出し、これが電源３０の＋端子の電位と同じであれば、クリーニングユニット８が装着されたと判断する。
【００７０】
接点端子１０ｄより入力される電圧が、電源３３の電圧と一致せず、クリーニングユニット８が装着されていないと判断された場合には、ＣＰＵ３１は、ステップＳ６１１に進み本処理を終了する。
【００７１】
接点端子１０ｄより入力される電圧が、電源３３の電圧と一致し、クリーニングユニット８が装着されたと判断された場合は、ステップＳ６０３に進む。
ここで、上記のステップＳ６０２におけるクリーニングユニット８が装着されたか否かの判断は、ＣＰＵ４１とＣＰＵ３１との通信によって行われるようにしてもよい。即ち、クリーニングユニット８がカメラ本体１に装着されると、クリーニングユニット８内のＣＰＵ４１とＲＯＭ４２とＲＡＭ４３とに電源が供給されるようになるので、ＣＰＵ３１が、ＲＯＭ４２に記憶されたクリーニングユニット８に関する情報を、ＣＰＵ３１とＣＰＵ４１との間の通信によって読み取る構成としても同様の機能を実現することができる。
【００７２】
ステップＳ６０２で、クリーニングユニット８が装着されたと判断された場合には、ステップＳ６０３で、ＣＰＵ３１は、操作者によって操作部材２２が操作されても、ＣＣＤ９による撮像を行わないようにＣＣＤ駆動回路４５に対して制御信号を出力すると同時に、記録媒体４９への画像信号の書き込みを行わないように、記録制御回路４８に対して制御信号を出力する。
【００７３】
このようにしてクリーニング動作中は、撮像、記録動作が禁止される。
ステップＳ６０３において、ＣＰＵ３１は、さらに電源接続スイッチ３４が閉状態となるように、電源接続スイッチ３４に対して制御信号を出力する。
【００７４】
これによって、接点端子１０ａ、２４ａを介して、抵抗Ｒ１、ダイオードＤ１に電源が供給され、クリーニング開始スイッチ２６が動作可能状態となる。  なお、この時点では、電源接続スイッチ４４は開状態を継続して保持しており、モータＭ１に対して電源は供給されていない。
【００７５】
ステップＳ６０３に続くステップＳ６０４において、ＣＰＵ３１は、クリーニング開始スイッチ２６が操作されたか否かについて判断する。
ＣＰＵ３１は、接点端子１０ｃに接続される回路パターンの電位を監視し、この電位がグランド電位となった時点で、クリーニング開始スイッチ２６が操作されたと判断する。
【００７６】
クリーニング開始スイッチ２６が操作されたと判断されない場合には、ステップＳ６０４を繰り返す。
なお、クリーニング開始スイッチ２６は、必ずしも必要ではなく、例えばステップＳ６０１からステップＳ６０３の処理の後、自動的にステップＳ６０５以降のクリーニング動作が開始される構成としてもよい。
【００７７】
ステップＳ６０４に続くステップＳ６０５で、ＣＰＵ３１は、クイックリターンミラー４を、図１に矢印で示す方向に退避させるようにマグネットＭ２に対して制御信号を出力すると同時に、シャッタ７を、指示があるまで開状態とするようにマグネットＭ３に対して制御信号を出力をする。
【００７８】
これによって、クイックリターンミラー４が退避状態、シャッタ７が開状態とされ、クリーニングの準備が完了する。
ステップＳ６０４に続くステップＳＲ１では、クリーニングユニット８が、カメラ本体１から取り外されたか否かが判断される。
【００７９】
以下、この動作について説明する。
カメラ本体１に内蔵されるＣＰＵ３１は、クリーニングユニット８がカメラ本体１から取り外されたことを検出する為、常に接点端子１０ｄから入力される信号の監視を行っている。
【００８０】
接点端子１０ｄから入力される信号の電圧が、電源３０の＋電圧と異なったものとなった場合には、ＣＰＵ３１は、クリーニングユニット８が、カメラ本体１から取り外されたものと判断する。
【００８１】
この場合、ＣＣＤ９の撮像面は外部に露出された状態となるので、撮像面上への異物の付着を防ぐ為に、ＣＰＵ３１は、シャッタ７が閉状態、クイックリターンミラー４が図１に示されるように非退避状態となるように、マグネットＭ３、マグネットＭ２に対して制御信号を出力する。
【００８２】
このようにして、クリーニング動作の途中で、カメラ本体１からクリーニングユニット８がカメラ本体１から取り外された場合にも、ＣＣＤ９の撮像面上の異物の付着を防止することができる。
【００８３】
このような、クリーニングユニット８の取り外しの判断は、図６に示されるように、ステップＳ６０６からステップＳ６０９に至る各ステップの間でも、ステップＳＲ２、ステップＳＲ３、ステップＳＲ４として実行される。
【００８４】
各ステップＳＲで、クリーニングユニット８が取り外されたと判断されると、ステップ６１０に移行する。
ステップＳＲ１で、クリーニングユニット８が取り外されていないと判断された時は、ステップＳＲ１に続くステップＳ６０６が実行される。
【００８５】
ステップＳＲ１に続くステップＳ６０６で、ＣＰＵ３１は、ＣＰＵ４１に対して、クリーニングの準備が完了したことを示すクリーニング準備完了信号を、接点端子１０ｅ，２４ｅを介して出力する。
【００８６】
ステップＳ６０６に続くステップＳＲ２では、前述のステップＳＲ１と同様に、クリーニングユニット８がカメラ本体１から取り外されたか否かが判断される。
【００８７】
クリーニングユニット８がカメラ本体１から取り外されたと判断された場合には、ステップＳ６１０に移行し、クリーニングユニット８が取り外されていないと判断された時には、ステップＳＲ２に続くステップＳ６０７を実行する。
【００８８】
ステップＳＲ２に続くステップＳ６０７で、ＣＰＵ３１は、ＣＰＵ４１から、クリーニング動作が開始されたことを示すクリーニング動作開始信号を、接点端子１０ｅ，２４ｅを介して受信したか否かについて判断する。クリーニング動作開信号を受信していない場合には、ステップＳＲ２に戻る。クリーニング動作開始信号を受信した場合には、ステップＳＲ３に進む。
【００８９】
後述する図７において説明されるように、ＣＰＵ４１は、ステップＳ６０６で、ＣＰＵ３１より発生されるクリーニング準備完了信号を受けて、電源接続スイッチ４４を、閉状態となるように制御信号を出力する。これによって、モータＭ１に電源が供給され、ファン２１は、図４に示す空気流Ｄを発生するように回転を開始する。
【００９０】
ファン２１の回転によって生成された空気流Ｄは、開口Ｂを介して、カメラ本体１内に流入される。
空気流Ｄによって、クイックリターンミラー４の裏面上に付着した異物、ＣＣＤ９の撮像面上に付着した異物が剥離され、剥離された異物はカメラ本体１内の圧力が高くなることによって発生する空気流Ｅによって、開口Ｃを介して、クリーニングユニット８内に運ばれる。
【００９１】
上記の剥離された異物は、クリーニングユニット８内の開口Ｃに近接して設けられたフィルタ２３に捕捉される。
フィルタ２３によって異物を捕捉された空気流Ｅは、ファン２１によって再度空気流Ｄとして用いられる。
【００９２】
ステップＳ６０７に続くステップＳＲ３では、前述のステップＳＲ１、ステップＳＲ２と同様に、クリーニングユニット８がカメラ本体１から取り外されたか否かが判断される。
【００９３】
クリーニングユニット８がカメラ本体１から取り外されたと判断された場合には、ステップＳ６１０に移行し、クリーニングユニット８がカメラ本体１から取り外されていないと判断された場合には、ステップＳＲ３に続くステップＳ６０８を実行する。
【００９４】
ステップＳＲ３に続くステップＳ６０８で、ＣＰＵ３１は、時間計測装置３５に対して、クリーニング時間の計測開始を指示する制御信号を出力する。
ステップＳ６０８に続くステップＳＲ４では、前述のステップＳＲ１、ステップＳＲ２、ステップＳＲ３と同様に、クリーニングユニット８がカメラ本体１から取り外されたか否かが判断される。
【００９５】
クリーニングユニット８がカメラ本体１から取り外されたと判断された場合には、ステップＳ６１０に移行し、クリーニングユニット８がカメラ本体１から取り外されていないと判断された場合には、ステップＳＲ４に続くステップＳ６０９を実行する。
【００９６】
ステップＳＲ４に続くステップＳ６０９で、ＣＰＵ３１は、時間計測装置３５の計測した時間が所定時間以上か否かについて判断する。この所定時間は、本実施形態では、例えば６０秒とされるが、特にこれには限定されない。
【００９７】
ステップＳ６０９で、時間計測手段３５の計測した時間が所定時間（６０秒）以上ではない場合には、ステップＳＲ４に戻り、時間計測手段３５の計測した時間が所定時間（６０秒）以上となった場合には、ステップＳ６１０に進む。
【００９８】
ＣＰＵ３１は、ステップＳ６１０で、シャッタ７が閉状態、クイックリタ−ンミラー４が、図１に示す非退避状態となるように、各々マグネットＭ３、マグネットＭ２に対して制御信号を送出すると同時に、電源接続スイッチ３４が開状態となるように制御信号を送出する。
【００９９】
電源スイッチ３４が開状態となることで、クリーニングユニット８のクリーニング開始スイッチ２６の操作は無効となり、モータＭ１への通電が停止されるので、ファン２１は回転を停止する。
【０１００】
ＣＰＵ３１は、その後、ステップＳ６０３で実行したＣＣＤ９による撮像の禁止を解除するように、ＣＣＤ駆動回路４５に対して制御信号を出力する。
ステップＳ６１０に続くステップＳ６１１で、ＣＰＵ３１は、本処理を終了する。
【０１０１】
次に、ＣＰＵ４１を中心としたクリーニングユニット８の動作について、図８に示されるフローチャートを用いて説明する。
ステップＳ７０１に続くステップＳ７０２において、クリーニングユニット８が、レンズマウント３を介してカメラ本体１に装着されることによって、接点端子２４ｂを介してＣＰＵ４１、ＲＯＭ４２，ＲＡＭ４３に電源が供給される。
【０１０２】
ＣＰＵ４１は、電源接続スイッチ４４を開状態とするように制御する制御信号を電源接続スイッチ４４に出力する。
カメラ本体１に装着されたクリーニングユニット８は、接点端子２４ｂを介して入力された電源を、接点端子２４ｄ，１０ｄを介して、ＣＰＵ３１に供給する。ＣＰＵ３１は、前述のように、接点端子１０ｄより入力される信号の電位が、電源３０の電源電圧と一致しているか否かを検出することによって、クリーニングユニット８が装着されたか否かを判断する（図６のステップＳ６０２）。
【０１０３】
ステップＳ７０２に続くステップＳ７０３では、図６に示されるステップＳ６０３により、電源接続スイッチ３４が閉状態となったことを受けて、接点端子１０ａ，２４ａを介して、抵抗Ｒ１、ダイオードＤ１、電源接続スイッチ４４に対して電源が供給され、クリーニング開始スイッチ２６が、操作可能状態となる。
【０１０４】
この時、クリーニングユニット８内の電源接続スイッチ４４は開状態を継続して維持しているのでモータＭ１には電源が供給されておらず、ファン２１は停止状態である。
【０１０５】
ステップＳ７０３に続くステップＳ７０４において、操作者によって、クリーニング開始スイッチ２６が操作されると、接点端子２４ｃ、１０ｃを介してＣＰＵ３１に接続される回路パターンの電位がグランド電位となる（図６のステップＳ６０４）。
【０１０６】
カメラ本体１に内蔵されるＣＰＵ３１は、この信号を受けて、クイックリターンミラー４を、図１中に矢印で示す方向に退避させるようにマグネットＭ２に対して制御信号を出力すると同時に、シャッタ７を指示があるまで開状態とするようにマグネットＭ３に対して制御信号を出力する。
【０１０７】
これによって、クイックリターンミラー４が退避状態となり、シャッタ７が開状態とされる。（図６のステップＳ６０５）
ステップＳ７０４に続くステップＳ７０５で、ＣＰＵ４１は、クリーニング準備が完了したか否かについて判断する。
【０１０８】
即ち、ＣＰＵ４１は、図６に示されるステップＳ６０６においてＣＰＵ３１から出力されるクリーニング準備完了信号を受け取ることで、カメラ本体１におけるクリーニング準備が完了したと判断する。
【０１０９】
ＣＰＵ４１は、ステップＳ７０６で、電源接続スイッチ４４を閉状態とするように制御信号を出力する。これによって、モータＭ１に電源が供給され、ファン２１が回転を開始し、クリーニング動作が開始される。
【０１１０】
ステップＳ７０６に続くステップＳ７０７で、ＣＰＵ４１は、ＣＰＵ３１に対して、クリーニング動作が開始されたことを示すクリーニング動作開始信号を、接点端子２４ｅ，１０ｅを介して出力する。
【０１１１】
ＣＰＵ３１は、図６、図７に示されるとおり、ステップＳ６０７においてクリーニング動作開始信号の受信判断がなされると、ステップＳ６０８でクリーニング経過時間の計測を開始し、ステップＳ６０９で所定時間が経過したと判断すると、ステップＳ６１０で、シャッタ７が閉状態、クイックリターンミラー４が図１に示す非退避状態となるように、各々マグネットＭ３、マグネットＭ２に対して制御信号を送出すると同時に、電源接続スイッチ３４が開状態となるように電源接続スイッチ３４に対して制御信号を送出する。
【０１１２】
ステップＳ７０８で、図７に示されるステップＳ６１０によって電源接続スイッチ３４が開状態とされ、これによって抵抗Ｒ１、ダイオードＤ１、モータＭ１への通電が停止されるので、以降のクリーニングユニット８のクリーニング開始スイッチ２６の操作は無効となり、ファン２１は回転を停止する。
【０１１３】
ステップＳ７０８に続くステップＳ７０９で、ＣＰＵ４１は、本処理を終了する。
次に、上記実施形態におけるフィルタ２３の交換、清掃について説明する。
【０１１４】
フィルタ２３は、前述のとおり、クリーンユニット８の開口Ｃに近接して取り外し可能に設けられる。
フィルタ２３に、ＣＣＤ９の撮像面等から剥離された異物が堆積すると、図４に示される空気流Ｅの流れが妨げられ、クリーニングユニット８の異物除去能力が低下する。
【０１１５】
即ち、カメラ本体１のミラーボックス内の圧力が上昇し、ファン２１の回転によって発生する空気流Ｄが弱くなり、ＣＣＤ９の撮像面上等に付着した異物を剥離できなくなる。
【０１１６】
図５に示される差圧計４６は、この問題を解決する為に設けられ、フィルタ２３を挟んで空気流Ｅの上流側と下流側の圧力差を測定し、この圧力差が所定値以上となったことをＣＰＵ４１が検出し、ＬＥＤなどで構成される表示装置４７を例えば点滅表示させることで、操作者にフィルタ２３の交換、または清掃を促す。
【０１１７】
本実施形態において、差圧計４６はフィルタ清浄度検出の機能を有する。
フィルタ２３の清浄度は、ファン２１の回転によって発生する空気流Ｄの風速を測定して検出する構成としても構わない。
【０１１８】
即ち、フィルタ２３に、ＣＣＤ９の撮像面等から剥離された異物が堆積すると、図４に示される空気流Ｅによってクリーニングユニット８内に移動する空気量が減少しカメラ本体１内の圧力が増大する。この為、図４に示される空気流Ｄの風速が低下する。
【０１１９】
例えば、図４に示されるファン２１と開口Ｂとの間に、上記差圧計４６に代えて風速計を配置し、その出力をＣＰＵ４１に読みこみ、空気流Ｄの風速が所定の風速以下となったらフィルタ２３の清掃、交換時期であるとして、表示装置４７によって操作者に告知する構成としてもよい。
【０１２０】
また、フィルタ２３の清浄度は、ファン２１の消費電流を測定して検出する構成としてもよい。即ち、フィルタ２３に、ＣＣＤ９の撮像面等から剥離された異物が堆積すると、カメラ本体１のミラーボックス内の圧力が増し、ファン２１の回転数が減少する。この結果、ファン２１の消費電流が増大する。ファン２１の電源供給ラインに電流センサ５０を設け、ファン２１の消費電流値が所定値以上となったことを検出し、これをＣＰＵ３１、もしくはＣＰＵ４１に入力して、例えば表示装置４７によって、操作者にフィルタ２３の交換、または清掃を促す告知を行う構成としてもよい。
【０１２１】
なお、上記表示装置４７にかえてスピーカ等の発音装置を用いて、音によって、フィルタ２３の交換、または清掃を促すように操作者に告知する構成としてもよい。
【０１２２】
操作者は、上記の告知装置によるフィルタ２３の交換、または清掃を促す告知を受けて、フィルタ２３をクリーニングユニット８から取り外し、新規のフィルタを装着する、あるいはクリーニングユニット８に装着されたまま堆積した異物を取り除く、もしくは取り外したフィルタ２３を清掃の後、再度、クリーニングユニット８に装着する。
【０１２３】
このように、本実施形態によれば、異物除去特性を左右するフィルタの清浄度について自動的に検出する構成としたので、良好な異物除去特性を常時維持することができる。
【０１２４】
なお、上記実施形態においては、クリーニングユニット８に設けられたクリーニング開始スイッチ２６の操作に基づいてクリーニング動作が開始される例について説明したが、カメラ本体１に設けられた撮影を指示するための操作部材２２の操作に基づいてクリーニング動作が開始される構成としても構わない。図５に示されるとおり、操作部材２２の操作は、ＣＰＵ３１によって検出が可能であり、この場合には、図６のステップＳ６０４は、操作部材２２が操作されたか否かを判断するステップ、図７のステップＳ７０４は、操作部材２２が操作されるステップに各々置き換わる。勿論、クリーニング動作の開始を指示する操作部材として、カメラ本体１に設けられた不図示の撮影に関する指示を行う操作部材を用いる構成としてもよい。ここで、撮影に関する指示を行う操作部材とは、例えばカメラ本体１に設けられた不図示の液晶表示装置に表示されるメニューの設定スイッチ等、カメラ本体１に設けられ、クリーニング動作以外のカメラ動作を指示する全ての操作部材を含む。このように、カメラ本体１に設けられ、クリーニングモード以外で使用される操作部材を、クリーニングユニット８の装着時に、クリーニング開始スイッチとして使用する構成とすれば、クリーニングユニット８に設けられたクリーニング開始スイッチ２６は不要となり、クリーニングユニット８の小型化が可能となる。
【０１２５】
以上のように、本実施形態によれば、部材に付着した異物を剥離する空気流を生成するファンと、ファンによって生成された空気流によって剥離された異物を捕捉するフィルタ２３を具備したクリーニングユニット８を、レンズアダプタ３を介してカメラ本体１に装着する構成としたので、異物の付着した部材のクリーニングを、ミラーボックス内にクリーナを挿入することなく行うことができる。この為、カメラ本体１内の部材を傷つける可能性を低減させることができると同時に、新たな異物をカメラ本体１内に持ち込んでしまうといったことが防止される。
【０１２６】
また、クリーニングユニット８を装着する為のスペースを特に設けることなく、クリーニングユニット８の装着を行うことができるので、機器の小型化を実現することができる。
【０１２７】
また、クリーニングユニット８とカメラ本体１との通信に基づいて、クリーニングユニット８の装着が確認されてから、クイックリターンミラー４、シャッタ７の駆動制御を行う構成としたので、クリーニングユニット８の装着が確認されていない状態で、ＣＣＤ９の撮像面を外部に露出させてしまう、といったことを防止することができる。さらには、カメラ本体１は、クリーニング中のクリーニングユニット８の取り外しを検出し、この検出に基づいて、シャッタを閉状態とし、クイックリターンミラー４を非退避状態とする構成としたので、誤ってクリーニング動作中にクリーニングユニット８が取り外されたような場合にも、ＣＣＤ９の撮像面が外部に露出されて、異物が付着することを防止することができる。
【０１２８】
また、クリーニングユニット８の駆動電源を、カメラ本体１から供給する構成としたので、クリーニングユニット８を小型、軽量化できると共に、商用電源のないフィールドでクリーニング動作が必要となったような場合にも、カメラ本体１内部の部材に付着した異物の除去を行うことが可能となる。
【０１２９】
また、カメラ本体１が、クリーニングユニットが装着されたことを検出可能とし、さらに同検出に基づいてＣＣＤ９による撮像を禁止する構成としたので、クリーニングユニット装着中に、操作者によって誤って撮影が指示されても、クリーニング中の画像を撮影して記憶してしまうことを防止することができる。
【０１３０】
また、異物を捕捉するフィルタ２３を、例えば開口Ｃに近接して取り外し可能に設け、フィルタの交換、清掃の容易な構成としたので、良好な異物除去特性を容易に実現することが可能となる。
【０１３１】
また、フィルタ２３へのゴミの堆積による異物除去特性の劣化を、差圧計、風速計、電流センサなどで構成される清浄度検出装置によって検出する構成としたので、フィルタ２３の清浄度について、操作者が容易に把握することができる。例えば差圧が所定値以上となった場合、あるいは風速が所定の風速以下となった場合、もしくはファンの消費電流が所定値以上になった場合には、告知装置を用いて音や表示により警告をし、フィルタの清掃や交換を促す構成とすれば、より一層好適である。
【０１３２】
なお、上記実施形態においては、ＣＣＤ９の撮像面上の異物を除去する例について説明したが、本願は特にこれに限定されることはなく、ＣＣＤ以外の、例えば撮像管やＣＭＯＳ型固体撮像素子などの撮像素子の撮像面上の異物除去にも適用できる。さらには、カメラ本体１が、ＣＣＤ９に近接して赤外線カットフィルタ、光学的ローパスフィルタなどの部材を備える場合には、これら部材表面の異物除去にも適用することができる。
【０１３３】
なお、上記実施形態においては、レンズ２とクリーニングユニット８とがレンズマウント３を介して、選択的にカメラ本体１に装着される例について説明したが、本発明は特にこれに限定されるものではなく、クリーニングユニット８がレンズ２とは異なる場所に装着されるものであってもよい。
【０１３４】
また、上記実施形態においては、撮像装置を例にとって説明したが、本発明は、例えば着脱可能な投射レンズを備えた投射型表示装置のような光学機器に対しても同様に適用することができる。
【０１３５】
例えば投射型表示装置の場合には、本発明によるクリーニングユニット８は、投射レンズの装着位置に装着され、例えば、色合成プリズム、液晶表示素子、光学フィルタといった光学部材に付着した異物を除去する。
【０１３６】
撮像装置の場合、クリーニングユニット８と選択的に装着されるレンズは、撮像という光学機能を実現する。
一方、投射型表示装置の場合には、クリーニングユニット８と選択的に装着される投射レンズは、投射という光学機能を実現する為のレンズである。
【０１３７】
何れの場合にも、クリーニングユニット８と、光学機能を実現するレンズと選択的に装着されるので、特にクリーニングユニット８を装着するスペースを設けることなくクリーニングを行うことができ、装置の小型化、低コスト化が可能となる。
【０１３８】
クリーニングユニット８が、投射型表示装置に装着された場合には、投射型表示装置に内蔵される制御回路によって、例えば光学部材の冷却に用いられるファンの駆動、投射画像を形成する例えば液晶などで形成される表示素子の駆動、画像の投射に用いられるランプの点灯などが禁止される。
【０１３９】
このような構成とすることで、クリーニングユニットが装着された際に、クリーニングユニットによって発生される空気流の流路が乱されることなく良好な異物の除去を行うことができる。
【０１４０】
本発明は、上記の投射型表示装置のみならず、着脱可能なレンズを備えた全ての光学機器に対して同様に適用できることは言うまでもない。
【０１４１】
【発明の効果】以上のように、本発明によれば、流入口と排出口とを両端部に有する空気流路と、該空気流路内に配設され、異物を剥離させる空気流を生成するファンと、前記空気流路内に配設され、流入口から流入される異物を捕捉するフィルタとを有するクリーニングユニットを、レンズと選択的に装着可能な構成としたので、従来のようにクリーニングを行うために、空気の流入口と排出口、及びこれらの開口をふさぐ蓋を設ける必要がなく、装置を小型化できると同時に、低コスト化を図ることが可能となる。
【図面の簡単な説明】
【図１】レンズ交換式ＤＳＣの側面図である。
【図２】本発明によるクリーニングユニットの側面図である。
【図３】本発明によるクリーニングユニットの正面図である。
【図４】本発明によるクリーニングユニットとカメラの接続を示す説明図である。
【図５】本発明によるクリーニングユニットとカメラの電気的接続を示す説明図である。
【図６】本発明によるカメラの動作形態を示すフローチャートである。
【図７】本発明によるカメラの動作形態を示すフローチャートである。
【図８】本発明によるクリーニングユニットの動作形態を示すフローチャートである。
【符号の説明】
１・・・カメラ本体
２・・・レンズ
３・・・レンズマウント
４・・・クイックリターンミラー
５・・・ペンタプリズム
６・・・接眼レンズ
７・・・シャッタ
８・・・クリーニングユニット
９・・・ＣＣＤ
１０・・・通信接点
１１・・・電気回路
２１・・・ファン
２２・・・操作部材
２３・・・フィルタ
２４・・・通信接点
２５・・・電気回路
２６・・・クリーニング開始スイッチ
３０・・・電源
３１・・・ＣＰＵ
３２・・・ＲＯＭ
３３・・・ＲＡＭ
３４・・・電源接続スイッチ
３５・・・時間計測装置
４１・・・ＣＰＵ
４２・・・ＲＯＭ
４３・・・ＲＡＭ
４４・・・電源接続スイッチ
４５・・・ＣＣＤ駆動回路
４６・・・差圧計
４７・・・表示装置
４８・・・記録制御回路
４９・・・記録媒体
５０・・・電流センサ
【図１】
2004354446.tif 000003
【図２】
2004354446.tif 000004
【図３】
2004354446.tif 000005
【図４】
2004354446.tif 000006
【図５】
2004354446.tif 000007
【図６】
2004354446.tif 000008
【図７】
2004354446.tif 000009
【図８】
2004354446.tif 000010